(57)【要約】【課題】幻想的な空間を演出することができ、体感者の想像を膨らませることができる演出装置およびその演出方法を提供する。【解決手段】部屋Ｒの壁面Ｗ１と壁面Ｗ２とに、水平方向に沿って赤外線ＬＥＤ２ａが一列に並べられた第１発光部２１および第２発光部２２と、体感者Ｍが遮光した赤外線ＬＥＤ２ａの位置により体感者Ｍの位置を検出して位置情報として出力するビデオカメラ３と、天井面Ｃに吊り下げられた複数の青色ＬＥＤである発光体４と、位置情報に基づいて体感者Ｍの位置と対応する発光体４の点灯を１／ｆゆらぎ周期に基づいて制御する制御装置５とを備え、第１発光部２１および第２発光部２２は、体感者Ｍの身長より高く、手を伸ばした高さよりも低くなるように吊り下げられている。【選択図】図１
2009104835.tif 000002
【特許請求の範囲】
【請求項１】
複数配置された光源と、
体感者が遮光した前記光源の位置により前記体感者の位置を位置情報として出力する位置検出手段と、
平面状または曲面状に配置された複数の発光体と、
前記位置情報に基づいて前記体感者の位置と対応する発光体の点灯を制御する制御手段とを備えた演出装置。
【請求項２】
前記光源は、不可視光である請求項１記載の演出装置。
【請求項３】
前記制御手段は、前記光源の配置に対応させて前記複数の発光体を区画して点灯制御し、
前記複数の発光体は、前記区画内に配置された一部を、隣接した他の区画内に配置された一部と入れ替えて配置されている請求項１または２記載の演出装置。
【請求項４】
前記複数の発光体は、天井面に沿った仮想面を形成するように配置され、
前記光源は、壁面の水平方向に沿って一列に並べられている請求項１から３のいずれかの項に記載の演出装置。
【請求項５】
前記光源は、体感者の身長より高く、手を伸ばした高さよりも低い位置に並べられている請求項４記載の演出装置。
【請求項６】
複数配置された光源からの光を遮断した体感者の位置を位置検出手段が位置情報として出力し、
前記位置情報に基づいて前記体感者の位置と対応した平面状または曲面状に配置された複数の発光体の点灯を、制御手段が制御する演出装置の演出方法。
【発明の詳細な説明】
【技術分野】
【０００１】
本発明は、幻想的な空間を演出することができる演出装置およびその演出方法に関する。
【背景技術】
【０００２】
従来の演出装置としては、例えば、特許文献１に記載されたものがある。特許文献１に記載のオーロラ演出装置は、外表面が漏光性の光フアイバの素線を複数本平面状に並べてカーテンレールから垂下した形の漏光性ファイバ幕とし、異なった色の光を導入することで、中から光を漏出させるのに加えて、外側面へ種々の色の光を投射するものである。このオーロラ演出装置は、漏光性光ファイバ幕を上下左右に揺らしたり、スモーク、布カーテンによるぼかし効果、揺らぎ効果を与える手段を必要に応じて付加したりすることで、北極圏や南極圏の高緯度地方で観察される自然界の発光現象であるオーロラを、劇場、イベント会場等で多数の観客の面前で人工的に再現させることができる。
【０００３】
【特許文献１】特開平５−２７４９０３号公報
【発明の開示】
【発明が解決しようとする課題】
【０００４】
しかし、特許文献１に記載のオーロラ演出装置は、遠方へ旅行でもしなければ見ることができないオーロラを、近くの劇場やイベント会場で疑似的に見せることで、幻想的な空間を演出することができるものではあるが、擬似的に表現されたオーロラを一方的に観客に見せるだけである。
演出装置は、幻想的な空間を演出することで、体感者に安らぎや和みを与えつつ、一方的に体感させるのではなく、体感者の状態に応じて演出内容を変化させることで、体感者の想像を膨らませることができるのが望ましい。
【０００５】
そこで本発明は、幻想的な空間を演出することができ、体感者の想像を膨らませることができる演出装置およびその演出方法を提供することを目的とする。
【課題を解決するための手段】
【０００６】
本発明の演出装置は、複数配置された光源と、体感者が遮光した前記光源の位置により前記体感者の位置を位置情報として出力する位置検出手段と、平面状または曲面状に配置された複数の発光体と、前記位置情報に基づいて前記体感者の位置と対応する発光体の点灯を制御する制御装置とを備えたことを特徴とする。
【０００７】
また、本発明の演出装置の演出方法は、複数配置された光源からの光を遮断した体感者の位置を位置検出手段が位置情報として出力し、前記位置情報に基づいて前記体感者の位置と対応した平面状または曲面状に配置された複数の発光体の点灯を、制御手段が制御することを特徴とする。
【０００８】
本発明の演出装置は、複数の発光体を平面状または曲面状に配置することで幻想的な空間を演出するものである。複数配置された光源からの光を体感者が遮断すると、点灯状態の光源が部分的に滅灯状態となる。この状態を位置検出手段が位置情報として出力する。制御手段は、位置検出手段からの位置情報に基づいて、平面状または曲面状に配置された複数の発光体の点灯を制御する。従って、体感者の状態に応じて複数の発光体の点灯の状態を変化させることができるので、体感者の想像を膨らませることができる。
【０００９】
前記光源は、不可視光であるのが望ましい。光源が不可視光であると、体感者に光源からの光が遮断されたことを意識させることなく、複数の発光体の状態を変化させることができる。
【００１０】
前記制御手段は、前記光源の配置に対応させて前記複数の発光体の点灯を区画して点灯制御し、前記複数の発光体は、前記区画内に配置された一部を、隣接した他の区画内に配置された一部と入れ替えて配置されているのが望ましい。
複数の発光体は、区画内に配置された一部が、隣接した他の区画内に配置された一部と入れ替えて配置されていることで、体感者が遮蔽した光源の位置に応じて制御手段が発光体を点灯制御すると、体感者が遮光した区画に対応する発光体だけでなく、隣接した他の区画の発光体も発光するので、広がりのある発光状態を楽しむことができる。
【００１１】
また、前記複数の発光体が、天井面に沿った仮想面を形成するように配置され、前記光源が、壁面の水平方向に沿って一列に並べられていると、天井面の下を移動する体感者が壁面に設けられた光源を遮光することで、体感者の頭上の発光体を点灯させることができる。
【００１２】
前記光源が、体感者の身長より高く、手を伸ばした高さよりも低い位置に並べられていると、歩くだけでは何も変化が起きないが、体感者が手を伸ばしたときに、伸ばした手が光源を遮光することで、伸ばした手の先の発光体が点灯する。従って、制御手段が、天井面に向かって手を伸ばす仕草によって発光体を発光させることで、体感者に不思議な感覚を抱かせることができる。
【発明の効果】
【００１３】
本発明の演出装置およびその演出方法は、体感者の状態に応じて複数の発光体の点灯の状態を変化させることができるので、体感者の想像を膨らませることができる。
【発明を実施するための最良の形態】
【００１４】
本発明の実施の形態に係る演出装置を、図面に基づいて説明する。図１は、本発明の実施の形態に係る演出装置全体を示す図である。
【００１５】
図１に示す演出装置１は、体感者Ｍが部屋Ｒ内で手を伸ばしたり、ジャンプしたりすると、体感者Ｍの頭上が発光する演出を行うものである。
【００１６】
演出装置１は、部屋Ｒ内に配置され、発光装置２と、ビデオカメラ３と、複数の発光体４と、制御装置５と、第１スピーカ６１および第２スピーカ６２と、第１マイク７１および第２マイク７２とを備えている。
平面視して矩形状の部屋Ｒは、外光が進入しないように、窓などが設けられておらず、ドア（図示せず）も目張り等の処置が施されている。
【００１７】
発光装置２は、部屋Ｒの壁面Ｗ１に、水平方向に沿って光源である赤外線ＬＥＤ２ａが一列に並べられた第１発光部２１と、壁面Ｗ１に隣接する壁面Ｗ２に、同様に水平方向に沿って一列に赤外線ＬＥＤ２ａが並べられた第２発光部２２とを備えている。赤外線ＬＥＤ２ａは、図示しない直線状のレールに配列され、レール内の配線により電源が供給されている。この第１発光部２１と第２発光部２２とは、体感者Ｍを大人と想定して、体感者Ｍの身長よりも高く、手を伸ばした高さよりも低い位置、例えば１８０ｃｍの高さに設けられている。この高さは、体感者Ｍとして子供を想定した場合には、適宜、低い位置に設定することも可能である。また、発光体４は、第１発光部２１と第２発光部２２より高い位置に配置される必要があるので、約２ｍの高さに設けられている。
【００１８】
ビデオカメラ３は、体感者Ｍが遮光した赤外光を発光する赤外線ＬＥＤ２ａの位置により体感者Ｍの位置を検出して位置情報として出力する位置検出手段として機能するものである。このビデオカメラ３は、第１発光部２１が設けられている壁面Ｗ１と対向する壁面Ｗ３に配置された第１カメラ３１と、第２発光部２２が設けられている壁面Ｗ２と対向する壁面Ｗ４に配置された第２カメラ３２との２台が配置されている。
【００１９】
複数の発光体４は、天井面Ｃと平行となる平面状の仮想面Ｓを形成するように、天井面Ｃから接続ケーブルＬにより吊り下げられた青色ＬＥＤである。本実施の形態では、例えば、４ｍ〜６ｍ×３ｍ〜５ｍの部屋Ｒでは、約１０００個の発光体４が吊り下げられている。また、発光体４は、その全部を、青色ＬＥＤ一色に統一したり、白色と青色などの二色としたり、三色以上としたりすることができる。
【００２０】
この発光体４の下方には、織り目の粗い布地で形成された紗幕８が部屋Ｒ全体に設けられている。発光体４が形成する仮想面Ｓは、天井面Ｃから接続ケーブルＬの長さにより決定されるため、全ての接続ケーブルＬが同一の長さであれば仮想面Ｓは平面となる。しかし、接続ケーブルＬの長さが数ｃｍ〜数十ｃｍ程度異なっていても体感者Ｍから見れば平面状に見えるため許容される。天井面Ｃから発光体４を吊り下げた長さが多少異なる方が、発光体４を観察した体感者に遠近感を与えることができるので望ましい。なお、接続ケーブルＬは、発光体４からそれぞれ制御装置５まで配線されているものであるが、図１においては発光体４から垂直に配線された部分と、制御装置５から集線されて部屋Ｒの角部を垂直に配線された部分のみを図示しており、天井面Ｃを伝わるように配線された部分は省略している。また、本実施の形態では、発光体４を平面状に配置しているが、波打つような曲面となるように配置しても、立体的な曲面となるように配置してもよい。
【００２１】
制御装置５は、ビデオカメラ３からの映像を位置情報とし、この映像に基づいて発光装置２からの光を遮断した体感者Ｍの位置を検出して、発光体４の点灯を制御したり、ＢＧＭ（background music）や効果音を出力したりして制御手段として機能するものである。
【００２２】
第１スピーカ６１および第２スピーカ６２は、部屋Ｒの対向する角部に配置され、制御装置５から出力され、アンプ（図示せず）により増幅されたＢＧＭや効果音を鳴らすものである。
第１マイク７１は、第１カメラ３１の下方に配置され、第２マイク７２は、第２カメラ３２の下方に配置され、体感者Ｍからの音声を入力して制御装置５へ音声信号を出力している。
【００２３】
以上のように構成された本発明の実施の形態に係る演出装置１の動作について、図２および図３に基づいて説明する。図２は、図１に示す演出装置の動作を説明するフローチャートである。図３（Ａ）から同図（Ｃ）は、制御装置が発光体を発光する動作を説明する波形図である。
【００２４】
まず、発光装置２である第１発光部２１と第２発光部２２とは発光状態である。しかし、第１発光部２１および第２発光部２２は、不可視光を発生する赤外線ＬＥＤ２ａで形成されているので、部屋Ｒに入った体感者Ｍには見えない。
【００２５】
第１発光部２１および第２発光部２２は、それぞれが水平方向に沿って一列に赤外線ＬＥＤ２ａが並べられたものであるので、それぞれの赤外線ＬＥＤ２ａから出射された赤外光は格子状になる。部屋Ｒに体感者Ｍが進入していなければ、第１カメラ３１には赤外線ＬＥＤ２ａが一列に配置された第１発光部２１が撮像され、第２カメラ３２には同様に第２発光部２２が撮像される。
【００２６】
部屋Ｒに体感者Ｍが進入したとする。しかし、第１発光部２１および第２発光部２２は体感者Ｍの身長より高い位置に設置されているので、第１カメラ３１には第１発光部２１が撮像され、第２カメラ３２には第２発光部２２が撮像される状態には変化がない。制御装置５は、第１発光部２１および第２発光部２２の全部が第１カメラ３１および第２カメラ３２からの映像に映っていることで、遮光状態ではないと判断する（Ｓ１０）。
【００２７】
制御装置５は、遮光状態でないと判断すると、図３（Ａ）に示すような１／ｆゆらぎ周期に基づいて発光体４の点灯を行う。つまり、制御装置５は、１／ｆゆらぎ周期に対して、所定の閾値以上波形が上回っている間の時間Ｔ１１〜Ｔ１８に発光体４を点灯させるベース発光を行う（Ｓ２０）。本実施の形態では、制御装置５が１／ｆゆらぎ周期に基づいて点灯を行っているが、所定周期の正弦波、矩形波、のこぎり波など各種の波形や周期に基づいて点灯を行うことも可能である。しかし、制御装置５が発光体４を１／ｆゆらぎ周期に基づいて点灯を行うことで、部屋Ｒに入った体感者Ｍには、ゆっくり仄かに瞬くように点灯する青色ＬＥＤの発光体４を目にして、部屋Ｒが安らぎを感じさせる空間であると思わせることができる。
【００２８】
第１発光部２１および第２発光部２２は、手を伸ばした高さよりも低い位置に設けられているので、体感者Ｍが手を上げると、手を上げた位置に対応する第１発光部２１および第２発光部２２の赤外線ＬＥＤ２ａから出射された赤外光が、体感者Ｍの手により進行が阻害され遮断される。従って、第１カメラ３１および第２カメラ３２には、遮光された赤外線ＬＥＤ２ａ以外の赤外線ＬＥＤ２ａが撮像された映像を出力するので、制御装置５は遮光された位置から体感者Ｍの位置を検出する（Ｓ３０）。
【００２９】
体感者Ｍの位置を検出した制御装置５は、遮光された位置に対応する発光体４の点灯を制御する。ここで、発光体４の点灯について、図４に基づいて説明する。図４は、図１に示す演出装置１の発光体４を下方から見た部分拡大図である。
【００３０】
図４に示すように、発光体４は、平面状の仮想面Ｓを形成するように不規則に配置されている。この不規則に配置された発光体４は、横方向に「Ａ」〜「Ｈ」に区画され、縦方向に「ａ」〜「ｅ」に区画されて制御装置５により点灯が制御される。
【００３１】
例えば、体感者Ｍにより遮光された位置が、横方向「Ｄ」、縦方向「ｄ」に対応する位置である場合には、制御装置５は横方向「Ｄ」、縦方向「ｄ」に対応する区画に配置された発光体４を点灯させるが、発光体４は、横方向「Ｄ」、縦方向「ｄ」と隣接する横方向「Ｃ」や「Ｅ」、縦方向「ｃ」や「ｅ」の一部の発光体４と入れ替えて配置されているので、横方向「Ｄ」、縦方向「ｄ」の発光体４以外でも発光体４が発光する（図３では●で示される発光体４）。
【００３２】
同様に、体感者Ｍにより遮光された位置が、横方向「Ｄ」、縦方向「ｃ」に対応する位置である場合には、制御装置５は横方向「Ｄ」、縦方向「ｃ」に対応する区画に配置された発光体４を点灯させるが、発光体４は、横方向「Ｄ」、縦方向「ｃ」と隣接する横方向「Ｃ」や「Ｅ」、縦方向「ｂ」や「ｄ」の一部の発光体４と入れ替えて配置されているので、横方向「Ｄ」、縦方向「ｃ」の発光体４以外でも発光体４が発光する（図３では◎で示される発光体４）。本実施の形態では、隣接する区画として、図面上、横方向および縦方向に隣接した区画の発光体４を入れ替えているが、隣接した区画という点においては斜め方向の区画の発光体と入れ替えるようにしてもよい。
【００３３】
このように、区画して配置された発光体４の一部を隣接した区画の発光体４と入れ替えることで、不規則に配置された発光体４の配置を、より不規則に配置されているよう体感者Ｍに見せることができる。なお、発光体４は不規則に配置されているが、規則的に、例えばマトリックス状に配列されていてもよい。しかし、星が光っているような自然な感じを演出するためには、発光体４を不規則に配置するのが望ましい。
【００３４】
そして、発光体４の下方には紗幕８が設けられているので、発光体４からの光が紗幕８によって拡散することで、発光体４からの光が体感者Ｍの目に直接入り、体感者Ｍが眩しく感じることを緩和させることができる。また、発光体４の光を紗幕８が拡散することで、より幻想さを向上させることができる。
【００３５】
制御装置５の点灯制御は、図３（Ａ）に示すベース発光から閾値を下げることで、図３（Ｂ）に示すように発光時間（Ｔ２２〜Ｔ２８）を長くしたり、図３（Ｃ）に示すように発光周期を短くして発光頻度を上げたりする発光強度の増幅を行う（Ｓ４０）。このように、制御装置５は、仄かに光るベース発光から発光強度の増幅を行うことで、天井面Ｃに手をかざす仕草によって、天井面Ｃに吊り下げられた数多くの発光体４を、夜光虫やホタルイカのような生き物がざわついているかのように見せることができる。従って、体感者Ｍは色々な想像を膨らませることができる。
【００３６】
制御装置５は、発光体４の点灯制御を行う他に、遮光されたことを契機に効果音を生成して第１スピーカ６１および第２スピーカ６２から出力する（Ｓ５０）。この効果音は、一定時間持続するように生成される。
【００３７】
次に、体感者Ｍが発声することで第１マイク７１および第２マイク７２から音声信号が制御装置５に入力されれば（Ｓ６０）、制御装置５はこの音声信号に対しても効果音を生成して第１スピーカ６１および第２スピーカ６２から出力する（Ｓ７０）。
【００３８】
そして、Ｓ１０へ移行し、制御装置５は発光装置２からの光が遮断されたか否かの判断を行う。例えば、体感者Ｍが手を上げたり下げたりすると発光装置２からの光が遮断されたり通過したりする。そうすると発光体４が強く点灯したり弱く点灯したりするだけでなく、効果音は一定時間持続するように生成されるので、前回生成された効果音と重なって第１スピーカ６１および第２スピーカ６２から出力される。
【００３９】
本実施の形態では、効果音として制御装置５が単音を生成しているが、最初の単音に対して、次に生成される単音を最初の単音と協和音を形成するような音程とすることで、体感者Ｍを心地よい気持ちにさせることができる。
【００４０】
このように、体感者Ｍの状態に応じて複数の発光体４の点灯の状態を変化させることができるので、体感者Ｍの想像を膨らませることができる。
また、発光装置２として不可視光である赤外光を発光する赤外線ＬＥＤを使用しているので、体感者Ｍに発光装置２からの光を遮断したことを意識させることなく、複数の発光体４の状態を変化させることができる。
【００４１】
なお、本実施の形態では、体感者Ｍが発光装置２からの光を遮断していなくても、ベース発光にて発光体４全体を１／ｆゆらぎ周期に基づいて仄かに発光させているが、発光させなくてもよい。そして、発光装置２からの光を遮断することで遮断した位置に対応する発光体４を発光させるようにしてもよい。
【００４２】
次に、本発明の他の実施の形態に係る演出装置を、図５に基づいて説明する。図５は、他の実施の形態に係る演出装置を示す図である。なお、図５においては、図１と同じ構成のものは同符号を付して説明を省略する。図５においては、制御装置５と、第１スピーカ６１および第２スピーカ６２と、第１マイク７１および第２マイク７２とを図示していない。
【００４３】
図５に示すように演出装置１０は、円錐形状に形成された曲面１１に発光体４が不規則に設けられている。また、この曲面１１には、発光装置（光源）として頂点１１ａを中心して同心円状に赤外線ＬＥＤ２ａが配置されている。そしてビデオカメラ３として、第１カメラ３１〜第３カメラ３３が周囲１２０°ごとに配置されている。
【００４４】
曲面１１とビデオカメラ３（第１〜第３カメラ３１〜３３）との間に体感者が入ると、赤外線ＬＥＤ２ａの光が遮断され、その様子がビデオカメラ３に撮像される。そして、制御装置５（図示せず）により遮断された赤外線ＬＥＤ２ａに対応する発光体４を発光制御することで、曲面１１に発光体４が配置されていても、体感者の状態に応じて発光体４の発光制御を行うことができる。
【００４５】
なお、ビデオカメラ３は、曲面１１を水平方向に撮像するのであれば少なくとも２台あれば曲面１１の全面を撮像することができる。しかし、赤外線ＬＥＤ２ａから光の遮蔽を精度よく監視するためには、図５に示すように曲面１１を水平方向に撮像するビデオカメラを３台以上設置するのが望ましい。また、ビデオカメラにより円錐形状の曲面１１の全体が撮像できればよいので、頂点１１ａの真上から曲面１１を見下ろすように配置してもよい。この場合にはビデオカメラとしては１台準備すればよいので、コストを抑えることができる。
また、本発明の他の実施の形態では、円錐形状に形成された曲面１１としているが、球形状の球面や円柱状の周面に発光体４を設けることも可能である。また、三角錐形状や四角錐形状の平面に発光体を設けることも可能である。
【００４６】
次に、本発明の他の実施の形態に係る演出装置の変形例を、図６に基づいて説明する。図６は、本発明の他の実施の形態に係る演出装置の変形例を示す図である。なお、図６については、図５と同じ構成のものは同符号を付して説明を省略する。
【００４７】
図６に示す演出装置２０は、円錐形状の曲面１１をクリスマスツリーに見立てて、曲面１１の下部に支柱９０ａと台部９０ｂとを設けている。曲面１１上には、発光体４が不規則に設けられている。この発光体４は、その全部を青色ＬＥＤ一色に統一することができるが、クリスマスツリーとしての演出装置とする場合には、赤色、黄色、緑色などを発光するＬＥＤが混在するように配色するのが望ましい。また、発光体４が１個で、赤色、緑色、青色の三色発光するＬＥＤであれば、１個で様々な色に発光できるだけでなく、曲面１１に発光体４（三色ＬＥＤ）を密に配置すればフルカラーが実現できるので、発光体４を単に点光源として機能させるだけでなく、曲面１１全体を使用してカラー映像などを映し出すことも可能である。
また、曲面１１の下端周縁には、装飾品（オーナメント）９１が吊り下げられている。この装飾品９１内には、光源である赤外線ＬＥＤ２ａが格納されている。
【００４８】
また、演出装置２０には、１台のビデオカメラ３が、円錐形状の曲面１１の全体を撮像するために、頂点１１ａの真上から曲面１１を見下ろすように配置されている。また、演出装置２０には、ビデオカメラ３に接続され、ビデオカメラ３からの映像に基づいて遮断された赤外線ＬＥＤ２ａの位置を検出する制御装置５（図示せず）が設けられている。
【００４９】
制御装置５は、ビデオカメラ３からの映像に基づいて体感者によって遮光された赤外線ＬＥＤ２ａの位置を検出し、この位置に基づいて遮光された赤外線ＬＥＤ２ａが格納された装飾品９１の位置から頂点１１ａに至る曲面１１上のＬＥＤ４を直線状に順次発光させたり、遮光された装飾品９１の位置に対応する曲面１１の下端のＬＥＤ４を基点として頂点１１ａまで、曲面１１のＬＥＤ４を螺旋状に順次点灯させたりする。この点灯は、遮光された装飾品９１の位置に対応する曲面１１の下端のＬＥＤ４を発光の基点とすることで体感者自身が発光させていると認識できるので、直線状や螺旋状の他に、曲面１１全体に順次広がるように発光させることも可能である。そして、制御装置５によって、図示しないスピーカから効果音を出力することで、体感者の想像を膨らませることができる。
【００５０】
なお、図６に示す演出装置２０は、ビデオカメラ３を、曲面１１の頂点１１ａ上に位置させているが、曲面１１の下端に吊り下げている赤外線ＬＥＤ２ａ全体が撮像できればよいので、図５に示す演出装置１０のように３台、または２台、４台以上としてもよい。
【産業上の利用可能性】
【００５１】
本発明の演出装置およびその演出方法は、幻想的な不思議な空間を演出することができるので、アミューズメントパークのアトラクション、ライブコンサート、サーカスなどの舞台演出、博物館や美術館などの各種の文化施設、デパートやショッピングモールなどの各種の商業施設、各種イベントなどに好適である。また、光源をキャンドルとすることで、結婚式場等で開催される披露宴にも適用することが可能である。
【図面の簡単な説明】
【００５２】
【図１】図１は、本発明の実施の形態に係る演出装置全体を示す図である。
【図２】図１に示す演出装置の動作を説明するフローチャートである。
【図３】（Ａ）から（Ｃ）は、制御装置が発光体を発光する動作を説明する波形図である。
【図４】図１に示す演出装置の発光体を下方から見た部分拡大図である。
【図５】本発明の他の実施の形態に係る演出装置を示す図である。
【図６】本発明の他の実施の形態に係る演出装置の変形例を示す図である。
【符号の説明】
【００５３】
１，１０，２０  演出装置
２  発光装置
２ａ  赤外線ＬＥＤ
２１  第１発光部
２２  第２発光部
３  ビデオカメラ
３１  第１カメラ
３２  第２カメラ
４  発光体
５  制御装置
６１  第１スピーカ
６２  第２スピーカ
７１  第１マイク
７２  第２マイク
８  紗幕
９０ａ  支柱
９０ｂ  台部
９１  装飾品
Ｒ  部屋
Ｃ  天井面
Ｓ  仮想面
Ｗ１，Ｗ２，Ｗ３，Ｗ４  壁面
Ｌ  接続ケーブル
Ｍ  体感者
【図１】
2009104835.tif 000003
【図２】
2009104835.tif 000004
【図３】
2009104835.tif 000005
【図４】
2009104835.tif 000006
【図５】
2009104835.tif 000007
【図６】
2009104835.tif 000008